【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
画像情報とインデックス情報とをレコードファイルに関連付け、複数のレコードファイルを一覧表示したリストを用いて、画像を管理するファイル管理装置であって、
前記リストにおいて、所望のレコードファイルを選択する選択手段と、
画像情報を入力する画像入力手段と、
前記選択手段で選択されたレコードファイルの種類に応じて、前記画像入力手段で入力された画像情報を当該選択されたレコードファイルに追加する処理を実行する追加手段と
を有することを特徴とするファイル管理装置。
【請求項２】
前記追加手段は、前記選択されたレコードファイルに対して既に画像情報が関連付けられている場合は前記レコードファイルに既に関連付けられている画像情報に当該入力された画像情報を追加し、前記選択されたレコードファイルに対して画像情報が関連付けられていない場合は当該入力された画像情報を当該レコードファイルに関連付けることを特徴とする請求項１に記載のファイル管理装置。
【請求項３】
前記レコードファイルの種類とは、インデックス情報が先に関連付けられているレコードファイル、画像情報が既に関連付けられているレコードファイル、新規レコードファイルのいずれかであることを特徴とする請求項１に記載のファイル管理装置。
【請求項４】
前記追加手段は、１つのレコードファイルに対して１つの画像のみが関連付けられるように追加していくことを特徴とする請求項１に記載のファイル管理装置。
【請求項５】
前記追加手段は、前記選択されたレコードファイルが既に画像情報が関連付けられている種類のレコードファイルである場合、当該レコードファイルに対する追加位置を決定し、前記画像入力手段で入力された画像情報を当該決定された追加位置に追加することを特徴とする請求項１に記載のファイル管理装置。
【請求項６】
前記追加手段は、前記選択手段で選択された複数のレコードファイルのうち、既に画像情報が関連付けられているレコードファイルに対して、前記画像情報を追加することを特徴とする請求項１に記載のファイル管理装置。
【請求項７】
前記追加手段は、前記選択手段で選択されたレコードファイルの画像属性と、前記画像入力手段で入力された画像情報の画像属性とが一致する場合に、当該入力された画像情報を当該レコードファイルに追加することを特徴とする請求項１に記載のファイル管理装置。
【請求項８】
前記追加手段は、前記選択手段で選択されたレコードファイルの種類が所定の種類である場合は、追加を行なわずに警告することを特徴とする請求項１に記載のファイル管理装置。
【請求項９】
インデックス情報を入力するインデックス入力手段と、
前記リストを表示するように制御する表示制御手段と、
新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたかを判断する判断手段と、
前記判断手段で前記第１の指示がなされたと判断された場合、前記画像入力手段により入力された新たな画像情報が関連付けられた新たなレコードファイルを前記リスト中に作成するように制御し、前記判断手段で前記第２の指示がなされたと判断された場合、前記インデックス入力手段により入力されたインデックス情報が関連付けられた新たなレコードファイルを前記リスト中に作成するように制御する制御手段と
を更に有することを特徴とする請求項１に記載のファイル管理装置。
【請求項１０】
画像情報とインデックス情報とをレコードファイルに関連付け、複数のレコードファイルを一覧表示したリストを備えるファイル管理装置であって、
画像情報を入力する画像入力手段と、
前記画像入力手段により入力された画像情報を前記リストにおける新たなレコードファイルに記録した後、更に別の画像情報を追加記録すべきレコードファイルを前記リストから選択する選択手段と、
前記選択手段で選択されたレコードファイルに、前記別の画像情報を追加して関連付ける追加手段と
を有することを特徴とするファイル管理装置。
【請求項１１】
画像情報とインデックス情報とをレコードファイルに関連付け、複数のレコードファイルを一覧表示したリストを用いて、画像を管理するファイル管理方法であって、
前記リストにおいて、所望のレコードファイルを選択する選択工程と、
画像情報を入力する画像入力工程と、
前記選択工程で選択されたレコードファイルの種類に応じて、前記画像入力工程で入力された画像情報を当該選択されたレコードファイルに追加する処理を実行する追加工程と
を有することを特徴とするファイル管理方法。
【請求項１２】
前記追加工程では、前記選択されたレコードファイルに対して既に画像情報が関連付けられている場合は前記レコードファイルに既に関連付けられている画像情報に当該入力された画像情報を追加し、前記選択されたレコードファイルに対して画像情報が関連付けられていない場合は当該入力された画像情報を当該レコードファイルに関連付けることを特徴とする請求項１１に記載のファイル管理方法。
【請求項１３】
前記レコードファイルの種類とは、インデックス情報が先に関連付けられているレコードファイル、画像情報が既に関連付けられているレコードファイル、新規レコードファイルのいずれかであることを特徴とする請求項１１に記載のファイル管理方法。
【請求項１４】
前記追加工程では、１つのレコードファイルに対して１つの画像のみが関連付けられるように追加していくことを特徴とする請求項１１に記載のファイル管理方法。
【請求項１５】
前記追加工程では、前記選択されたレコードファイルが既に画像情報が関連付けられている種類のレコードファイルである場合、当該レコードファイルに対する追加位置を決定し、前記画像入力工程で入力された画像情報を当該決定された追加位置に追加することを特徴とする請求項１１に記載のファイル管理方法。
【請求項１６】
前記追加工程では、前記選択工程で選択された複数のレコードファイルのうち、既に画像情報が関連付けられているレコードファイルに対して、前記画像情報を追加することを特徴とする請求項１１に記載のファイル管理方法。
【請求項１７】
前記追加工程では、前記選択工程で選択されたレコードファイルの画像属性と、前記画像入力工程で入力された画像情報の画像属性とが一致する場合に、当該入力された画像情報を当該レコードファイルに追加することを特徴とする請求項１１に記載のファイル管理方法。
【請求項１８】
前記追加工程では、前記選択工程で選択されたレコードファイルの種類が所定の種類である場合は、追加を行なわずに警告することを特徴とする請求項１１に記載のファイル管理方法。
【請求項１９】
インデックス情報を入力するインデックス入力工程と、
前記リストを表示するように制御する表示制御工程と、
新たな画像情報に対するインデックス情報の入力の前に当該新たな画像情報を入力する第１の指示がなされたか、新たな画像情報の入力の前に当該新たな画像情報に対するインデックス情報を入力する第２の指示がなされたかを判断する判断工程と、
前記判断工程で前記第１の指示がなされたと判断された場合、前記画像入力工程で入力された新たな画像情報が関連付けられた新たなレコードファイルを前記リスト中に作成するように制御し、前記判断工程で前記第２の指示がなされたと判断された場合、前記インデックス入力工程で入力されたインデックス情報が関連付けられた新たなレコードファイルを前記リスト中に作成するように制御する制御工程と
を更に有することを特徴とする請求項１１に記載のファイル管理方法。
【請求項２０】
画像情報とインデックス情報とをレコードファイルに関連付け、複数のレコードファイルを一覧表示したリストを備えるファイル管理方法であって、
画像情報を入力する画像入力工程と、
前記画像入力工程により入力された画像情報を前記リストにおける新たなレコードファイルに記録した後、更に別の画像情報を追加記録すべきレコードファイルを前記リストから選択する選択工程と、
前記選択工程で選択されたレコードファイルに、前記別の画像情報を追加して関連付ける追加工程と
を有することを特徴とするファイル管理方法。
【請求項２１】
画像情報とインデックス情報とをレコードファイルに関連付け、複数のレコードファイルを一覧表示したリストを用いて、画像を管理するように装置を制御するための、コンピュータ読取可能なプログラムを格納した記憶媒体であって、
前記リストにおいて、所望のレコードファイルを選択する選択工程と、
画像情報を入力する画像入力工程と、
前記選択工程で選択されたレコードファイルの種類に応じて、前記画像入力工程で入力された画像情報を当該選択されたレコードファイルに追加する処理を実行する追加工程と
の各工程をコンピュータに実行させるためのコンピュータ読取可能なプログラムを格納した記憶媒体。
【請求項２２】
画像情報とインデックス情報とをレコードファイルに関連付け、複数のレコードファイルを一覧表示したリストを用いて、画像を管理するように装置を制御するための、コンピュータ読取可能なプログラムを格納した記憶媒体であって、
画像情報を入力する画像入力工程と、
前記画像入力工程により入力された画像情報を前記リストにおける新たなレコードファイルに記録した後、更に別の画像情報を追加記録すべきレコードファイルを前記リストから選択する選択工程と、
前記選択工程で選択されたレコードファイルに、前記別の画像情報を追加して関連付ける追加工程と
の各工程をコンピュータに実行させるためのコンピュータ読取可能なプログラムを格納した記憶媒体。
【手続補正２】
【補正対象書類名】明細書
【補正対象項目名】０００１
【補正方法】変更
【補正の内容】
【０００１】
【発明の属する技術分野】
本発明は、ファイル管理装置、ファイル管理方法、及び記憶媒体に関し、詳しくは、画像情報とインデックス情報とをレコードファイルに関連付け、複数のレコードファイルを一覧表示したリストを用いて、画像を管理するファイル管理装置、当該ファイル管理装置に適用されるファイル管理方法、及び当該ファイル管理方法を実行するプログラムを記憶した記憶媒体に関する。
【手続補正３】
【補正対象書類名】明細書
【補正対象項目名】００１４
【補正方法】変更
【補正の内容】
【００１４】
【課題を解決するための手段】
上記目的を達成するために、請求項１記載の発明によれば、画像情報とインデックス情報とをレコードファイルに関連付け、複数のレコードファイルを一覧表示したリストを用いて、画像を管理するファイル管理装置であって、前記リストにおいて、所望のレコードファイルを選択する選択手段と、画像情報を入力する画像入力手段と、前記選択手段で選択されたレコードファイルの種類に応じて、前記画像入力手段で入力された画像情報を当該選択されたレコードファイルに追加する処理を実行する追加手段とを有することを特徴とするファイル管理装置が提供される。
【手続補正４】
【補正対象書類名】明細書
【補正対象項目名】００１５
【補正方法】変更
【補正の内容】
【００１５】
また、請求項１０記載の発明によれば、画像情報とインデックス情報とをレコードファイルに関連付け、複数のレコードファイルを一覧表示したリストを備えるファイル管理装置であって、画像情報を入力する画像入力手段と、前記画像入力手段により入力された画像情報を前記リストにおける新たなレコードファイルに記録した後、更に別の画像情報を追加記録すべきレコードファイルを前記リストから選択する選択手段と、前記選択手段で選択されたレコードファイルに、前記別の画像情報を追加して関連付ける追加手段とを有することを特徴とするファイル管理装置が提供される。
【手続補正５】
【補正対象書類名】明細書
【補正対象項目名】００１６
【補正方法】変更
【補正の内容】
【００１６】
さらに、請求項１１記載の発明によれば、画像情報とインデックス情報とをレコードファイルに関連付け、複数のレコードファイルを一覧表示したリストを用いて、画像を管理するファイル管理方法であって、前記リストにおいて、所望のレコードファイルを選択する選択工程と、画像情報を入力する画像入力工程と、前記選択工程で選択されたレコードファイルの種類に応じて、前記画像入力工程で入力された画像情報を当該選択されたレコードファイルに追加する処理を実行する追加工程とを有することを特徴とするファイル管理方法が提供される。
【手続補正６】
【補正対象書類名】明細書
【補正対象項目名】００１７
【補正方法】変更
【補正の内容】
【００１７】
請求項２０記載の発明によれば、画像情報とインデックス情報とをレコードファイルに関連付け、複数のレコードファイルを一覧表示したリストを備えるファイル管理方法であって、画像情報を入力する画像入力工程と、前記画像入力工程により入力された画像情報を前記リストにおける新たなレコードファイルに記録した後、更に別の画像情報を追加記録すべきレコードファイルを前記リストから選択する選択工程と、前記選択工程で選択されたレコードファイルに、前記別の画像情報を追加して関連付ける追加工程とを有することを特徴とするファイル管理方法が提供される。
【手続補正７】
【補正対象書類名】明細書
【補正対象項目名】００１８
【補正方法】変更
【補正の内容】
【００１８】
また、請求項２１記載の発明によれば、画像情報とインデックス情報とをレコードファイルに関連付け、複数のレコードファイルを一覧表示したリストを用いて、画像を管理するように装置を制御するための、コンピュータ読取可能なプログラムを格納した記憶媒体であって、前記リストにおいて、所望のレコードファイルを選択する選択工程と、画像情報を入力する画像入力工程と、前記選択工程で選択されたレコードファイルの種類に応じて、前記画像入力工程で入力された画像情報を当該選択されたレコードファイルに追加する処理を実行する追加工程との各工程をコンピュータに実行させるためのコンピュータ読取可能なプログラムを格納した記憶媒体が提供される。
【手続補正８】
【補正対象書類名】明細書
【補正対象項目名】００１９
【補正方法】変更
【補正の内容】
【００１９】
さらに、請求項２２記載の発明によれば、画像情報とインデックス情報とをレコードファイルに関連付け、複数のレコードファイルを一覧表示したリストを用いて、画像を管理するように装置を制御するための、コンピュータ読取可能なプログラムを格納した記憶媒体であって、画像情報を入力する画像入力工程と、前記画像入力工程により入力された画像情報を前記リストにおける新たなレコードファイルに記録した後、更に別の画像情報を追加記録すべきレコードファイルを前記リストから選択する選択工程と、前記選択工程で選択されたレコードファイルに、前記別の画像情報を追加して関連付ける追加工程との各工程をコンピュータに実行させるためのコンピュータ読取可能なプログラムを格納した記憶媒体が提供される。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】０１０７
【補正方法】変更
【補正の内容】
【０１０７】
【発明の効果】
以上詳述したように本発明によれば、記録や検索を行うことができるファイル管理システムにおいて、ファイル記録と検索結果が一体になったファイルリストを使用して追加スキャン記録を行う。
【手続補正１３】
【補正対象書類名】明細書
【補正対象項目名】０１０９
【補正方法】変更
【補正の内容】
【０１０９】
また、本発明によれば、記録や検索を行うことができるファイル管理システムにおいて、ファイル記録と検索結果が一体になったファイルリストを使用して、そのファイルリスト上の複数ファイルに対して追加スキャンを行うときに、ファイルの種別、画像属性などを判断しながら追加スキャン処理を行うようにする。